(57)【要約】組み合わせた液体流れチューブ整合及び液体感知システムは、ハードウエアを基体に締結するためのクリップを備えた、流れチューブ装着及び整合ハードウエアと、液体流れチューブ装着及び整合ハードウエアと一体化されたセンサとを有する。流れチューブ装着及び整合ハードウエアは、センサに関連する少なくとも１つの感知素子の外側周辺縁部に適合するように寸法決めされた内側周辺縁部を備えたクリップを有する。少なくとも２つのポストがチューブの上方及び下方のクリップの外側部材において位置する。ポストはクリップの内側周辺縁部に関して液体流れチューブの外径を位置決め及び保持し、次いで、感知素子を水平方向及び垂直方向の双方において位置決め及び保持するように寸法決めされる。組み合わせた液体流れチューブ整合及び液体感知システムの中央の可撓性部材は、ハードウエアを基体に締結するためのクリップを備えた、流れチューブ装着及び整合ハードウエアと、液体流れチューブ装着及び整合ハードウエアと一体化された感知のためのセンサとを有し、流体は流れチューブにより装着され整合された流れチューブを通って流れる。液体流れチューブ装着及び整合ハードウエアは内側周辺部を備えたクリップを有する。
2008517272.tif 000002
【特許請求の範囲】
【請求項１】
組み合わせた液体流れチューブ整合及び液体感知システムであって、
ハードウエアを基体に締結するためのクリップを備えた、流れチューブ装着及び整合ハードウエアと；液体流れチューブ装着及び整合ハードウエアと一体化されたセンサと；
を有し、
流れチューブ装着及び整合ハードウエアにより装着され整合された流れチューブを通って流れる流体が、流れチューブと一体化されたセンサ内へ流れ、流れチューブ装着及び整合ハードウエアがセンサにより感知されることを特徴とするシステム。
【請求項２】
前記センサが流体の感知後のデータを生じさせることを特徴とする請求項１のシステム。
【請求項３】
前記流れチューブ装着及び整合ハードウエアがセンサに関して整合するように液体流れチューブを位置決めすることを特徴とする請求項１のシステム。
【請求項４】
前記流れチューブ装着及び整合ハードウエアがセンサに関連する少なくとも１つの感知素子の外側周辺縁部又は隅部に適合するように寸法決めされた内側周辺縁部を備えたクリップを有することを特徴とする請求項１のシステム。
【請求項５】
前記チューブの上方及び下方のクリップの外側部材において位置する少なくとも２つのポストを更に有し、ポストがクリップの内側周辺縁部に関して液体流れチューブの外径を位置決め及び保持するためにシステム内で理想的に位置するように寸法決めされることを特徴とする請求項１のシステム。
【請求項６】
前記クリップに関連する中央の可撓性部材を有することを特徴とする請求項５のシステム。
【請求項７】
前記感知素子の中心に位置するチューブの領域に対して制御された力を正確に適用し保持するために、流れチューブ装着及び整合ハードウエア内に形成された溝穴を更に有することを特徴とする請求項６のシステム。
【請求項８】
組み合わせた液体流れチューブ整合及び液体感知システムであって、
ハードウエアを基体に締結するためのクリップを備え、センサに関連する少なくとも１つの感知素子の外側周辺縁部に適合するように寸法決めされた内側周辺縁部又は隅部を有する、流れチューブ装着及び整合ハードウエアと；液体流れチューブ装着及び整合ハードウエアと一体化されたセンサと；を有し、
流れチューブ装着及び整合ハードウエアにより装着され整合された流れチューブを通って流れる流体が流れチューブと一体化されたセンサ内へ流れ、流れチューブ装着及び整合ハードウエアがセンサにより感知されることを特徴とするシステム。
【請求項９】
前記流れチューブ装着及び整合ハードウエアがセンサに関して整合するように液体流れチューブを位置決めすることを特徴とする請求項８のシステム。
【請求項１０】
前記チューブの上方及び下方のクリップの外側部材において位置する少なくとも２つのポストを更に有することを特徴とする請求項８のシステム。
【請求項１１】
前記ポストがクリップの内側周辺縁部に関して液体流れチューブの外径を位置決め及び保持し、次いで感知素子を水平方向及び垂直方向の双方において位置決め及び保持するためにシステム内で理想的に位置するように寸法決めされることを特徴とする請求項１０のシステム。
【請求項１２】
前記クリップに関連する中央の可撓性部材を有することを特徴とする請求項８のシステム。
【請求項１３】
前記感知素子の中心に位置するチューブの領域に対して制御された力を正確に適用し保持するための溝穴を更に有することを特徴とする請求項８のシステム。
【請求項１４】
前記センサが流体の感知後のデータを生じさせることを特徴とする請求項８のシステム。
【請求項１５】
液体流れチューブ整合及び液体感知システムであって、
ハードウエアを基体に締結するためのクリップを備え、センサに関連する少なくとも１つの感知素子の外側周辺縁部に適合するように寸法決めされた内側周辺縁部、及び、液体流れチューブの上方及び下方のクリップの外側部材において位置する少なくとも２つのポストを有する、流れチューブ装着及び整合ハードウエアと；
液体流れチューブ装着及び整合ハードウエアと一体化されたセンサと；
を有し、
流れチューブ装着及び整合ハードウエアがセンサに関して整合するように液体流れチューブを位置決めし、流れチューブ装着及び整合ハードウエアにより装着され整合された液体流れチューブを通って流れる流体が流れチューブと一体化されたセンサ内へ流れ、流れチューブ装着及び整合ハードウエアがセンサにより感知されることを特徴とするシステム。
【請求項１６】
少なくとも２つのポストが、クリップの内側周辺縁部に関して液体流れチューブの外径を位置決め及び保持し、次いで感知素子を水平方向及び垂直方向の双方において位置決め及び保持するためにシステム内で理想的に位置するように寸法決めされることを特徴とする請求項１５のシステム。
【請求項１７】
前記クリップに関連する中央の可撓性部材を有することを特徴とする請求項１５のシステム。
【請求項１８】
前記感知素子の中心に位置するチューブの領域に対して制御された力を正確に適用し保持するための溝穴を更に有することを特徴とする請求項１５のシステム。
【請求項１９】
センサが流体の感知後のデータを生じさせることを特徴とする請求項１５のシステム。
【発明の詳細な説明】
【技術分野】
【０００１】
本発明は一般に液体流れ（fluid flow）センサに関する。特に、本発明はセンサに関して液体流れチューブ（liquid flow tube）を正確に位置決めし、整合させる装置に関する。
【背景技術】
【０００２】
[0002]表面音響波（Surface Acoustic Wave;ＳＡＷ）センサ又は熱移送センサのようなセンサが多くの産業上及び環境上の用途に使用される。ＳＡＷセンサは、液体、蒸気及び気体のような種々の媒体から圧力、温度、トルク、湿度を感知するために使用することができる。センサは流体流れを測定／追跡するために有用である。しかしながら、流体センサの有効性は、しばしば一体化されたセンサに関する液体流れチューブの、センサに沿った又はセンサ内でのその整合度（alignment）に依存する。
【発明の開示】
【課題を解決するための手段】
【０００３】
[0003]本発明は,ハードウエアを有し、このハードウエアは、液体流れチューブを整合させるために使用されるハードウエアと一体化されたセンサにより、そこを流れる流体の随意の感知及びデータ取得のための液体流れチューブを整合させる。従って、本発明の特徴は感知素子に関して液体流れチューブを位置決めするための装置を提供することである。
【０００４】
[0005]本発明の好ましい実施の形態の特徴は、ハードウエアを基体（substrate）に締結するためのクリップを備えた、流れチューブ装着及び整合ハードウエアと、液体流れチューブ装着及び整合ハードウエアと一体化されたセンサとを有する組み合わせた液体流れチューブ整合及び液体感知システムを提供することである。流れチューブ装着及び整合ハードウエアにより装着され整合された流れチューブを通って流れる流体は、流れチューブ並びに流れチューブ装着及び整合ハードウエアと一体化されたセンサ内へ流れ、流体はセンサにより感知される。
【０００５】
[0006]本発明の別の特徴によれば、流れチューブ装着及び整合ハードウエアはセンサに関して整合するように液体流れチューブを位置決めする。[0007]本発明の更に別の特徴によれば、センサに関連する少なくとも１つの感知素子の外側周辺縁部に適合するように寸法決めされた内側周辺縁部を備えた、流れチューブ装着及び整合ハードウエアが提供される。
【０００６】
[0008]本発明の更に別の特徴によれば、組み合わせたチューブ装着及び整合ハードウエアはチューブの上方及び下方のクリップの外側部材において位置する少なくとも２つのポストを更に有する。ポストはクリップの内側周辺縁部に関して液体流れチューブの外径を位置決め及び保持し、次いで感知素子を水平方向及び垂直方向の双方において位置決め及び保持するために、理想的にシステム内に位置するように寸法決めされる。[0009]本発明の更に別の特徴によれば、クリップに関連して中央の可撓性部材が提供される。[0010]本発明の更に別の特徴によれば、感知素子の中心に位置するチューブの領域に対して制御された力を正確に位置決め／保持及び適用するための溝穴を有する。
【発明を実施するための最良の形態】
【０００７】
[0011]図面全体にわたって同様の符号が同一又は機能的に同様の素子を示し、本明細書に組み込まれ、その一部を形成するような添付図面は、本発明を更に示し、本発明の詳細な説明と一緒に、本発明の原理を説明するのに役立つ。[0014]非限定的な例において述べる特定の値及び形状は変更することができ、単に本発明の少なくとも１つの実施の形態を示すために用いられ、本発明の要旨を限定する意図のものではない。
【０００８】
[0015]本発明の主要な特徴は、感知素子に関して液体流れチューブを位置決めするための装置を提供することである。図１を参照すると、液体流れチューブ整合及び液体感知システム／装置１００は、液体流れチューブ整合及び感知システムハードウエア１００を支持するための及び装置１００を基体（例えば回路盤）１１０に固定するためのセンサベース１４５を有する。装置１００は、クリップ１４５を備えた流れチューブ装着及び整合ハードウエアを有する。感知素子１２０は、流れチューブ装着及び整合ハードウエア１４５の一部として組立てることができる。
【０００９】
[0016]少なくとも２つのポスト１５０が、クリップの外側部材の各々上に位置されることができ、クリップ１４０の内側周辺縁部に関して整合するように液体流れチューブ１３０の外形を位置決め及び保持し、次いで、センサ１２０を水平方向及び垂直方向の双方において位置決め及び保持するような方法で、寸法決めされ、位置決めされる。流れチューブ装着及び整合ハードウエア１４５の中央の可撓性部材はまたその中に形成された溝穴１７０を有することができ、この場合、溝穴１７０は感知素子１２０の中心においてチューブを正確に位置決め／保持することができ、このチューブに制御された力を適用することができる。
【００１０】
[0017]溝穴は、また感知素子１２０のまわりの領域からの通気／熱発散を提供することができる。液体流れチューブ整合及び液体感知システム／装置１００は基体のワイヤ結合パッド１６０に近接して位置するワイヤ結合パッド１６５を有する。基体及び感知素子上のパッド間のワイヤ結合は電気接続を完成させる。
【００１１】
[0018]図２を参照すると、液体流れチューブ整合及び液体感知システム／装置１００は、例えば基体１１０上の印刷された信用素子を介して、基体１１０上、例えば、関連するシステム素子（例えば電子回路類及びモジュール）２１０を含む回路盤上に、位置することができる。
【００１２】
[0019]液体流れチューブ整合及び液体感知システム／装置１００は接着剤により基体に取り付けることができる。液体流れチューブ１３０はクリップ１４５を介して液体流れチューブ整合及び液体感知システム／装置１００内へ挿入される。クリップ１４５は次いで感知素子のまわりで位置決めされ、適所に接着される。クリップ１４５は、初期の組立て及び作動のために流れチューブへのアクセスを許容するように、この挿入領域において初期には開いた端部を有することができる。
【００１３】
[0020]液体流れチューブ１３０とクリップ１４５との間の限られた接触面積は感知されている液体への熱の発散を減少させることができる。クリップの可撓性の中央部材はダイスに接触した状態でチューブを保持するように設計することができる。好ましい実施の形態は可撓性の部材と、クリップ１４５上の感知素子上に直接形成された溝穴１７０とを有する。熱センサのための代わりの実施の形態は、熱移送（例えば吸熱源）を減少させるために、感知素子のいずれかの側に隣接して、可撓性の部材上に２つの接触地点を有する。
【００１４】
[0021]ここで説明する実施の形態及び例は、本発明及びその実践的な応用を最良に説明し、それによって、当業者が本発明を実施及び利用できるようにするために提示される。しかし、当業者なら、上述の説明及び例が図示及び例示のみの目的で提示されたことを認識できよう。当業者にとっては、本発明の他の変形及び修正は明白であり、特許請求の範囲はこのような変形及び修正をカバーすることを意図する。
【００１５】
[0022]以上の説明は本発明の要旨を余す所なく述べたものでもなければ、これを限定するものでもない。特許請求の範囲の要旨から逸脱することなく、上述の教示に照らして、多くの修正及び変形が可能である。本発明の使用は異なる特徴を有する素子を包含することができる。本発明の要旨は、すべての点で等価物をすべて考慮に入れて、特許請求の範囲により規定される。
【図面の簡単な説明】
【００１６】
【図１】本発明の特徴によるセンサ及び液体流れチューブ整合システムを示す図である。
【図２】回路盤上の素子として図１のセンサ及び液体流れチューブ整合システムを一体化する素子を示す図である。
【図１】
2008517272.tif 000003
【図２】
2008517272.tif 000004
【手続補正書】
【提出日】平成19年6月21日(2007.6.21)
【手続補正１】
【補正対象書類名】特許請求の範囲
【補正対象項目名】全文
【補正方法】変更
【補正の内容】
【特許請求の範囲】
【請求項１】
組み合わせた液体流れチューブ整合及び液体感知システムであって、
ハードウエアを基体に締結するためのクリップを備えた、流れチューブ装着及び整合ハードウエアと；液体流れチューブ装着及び整合ハードウエアと一体化されたセンサと；
を有し、
流れチューブ装着及び整合ハードウエアにより装着され整合された流れチューブを通って流れる流体が,流れチューブと一体化されたセンサ内へ流れ、流れチューブ装着及び整合ハードウエアがセンサにより感知されることを特徴とするシステム。
【請求項２】
前記センサが流体の感知後のデータを生じさせ、流れチューブ装着及び整合ハードウエアがセンサに関して整合するように液体流れチューブを位置決めし、流れチューブ装着及び整合ハードウエアがセンサに関連する少なくとも１つの感知素子の外側周辺縁部又は隅部に適合するように寸法決めされた内側周辺縁部を有することを特徴とする請求項１のシステム。
【請求項３】
組み合わせた液体流れチューブ整合及び液体感知システムであって、
ハードウエアを基体に締結するためのクリップを備え、センサに関連する少なくとも１つの感知素子の外側周辺縁部に適合するように寸法決めされた内側周辺縁部又は隅部を有する、流れチューブ装着及び整合ハードウエアと；液体流れチューブ装着及び整合ハードウエアと一体化されたセンサと；を有し、
流れチューブ装着及び整合ハードウエアにより装着され整合された流れチューブを通って流れる流体が流れチューブと一体化されたセンサ内へ流れ、流れチューブ装着及び整合ハードウエアがセンサにより感知されることを特徴とするシステム。
【請求項４】
液体流れチューブ整合及び液体感知システムであって、
ハードウエアを基体に締結するためのクリップを備え、センサに関連する少なくとも１つの感知素子の外側周辺縁部に適合するように寸法決めされた内側周辺縁部、及び、液体流れチューブの上方及び下方のクリップの外側部材において位置する少なくとも２つのポストを有する、流れチューブ装着及び整合ハードウエアと；液体流れチューブ装着及び整合ハードウエアと一体化されたセンサと；を有し、
流れチューブ装着及び整合ハードウエアが、センサに関して整合するように液体流れチューブを位置決めし、流れチューブ装着及び整合ハードウエアにより装着され整合された液体流れチューブを通って流れる流体が、流れチューブと一体化されたセンサ内へ流れ、流れチューブ装着及び整合ハードウエアがセンサにより感知されることを特徴とするシステム。
【国際調査報告】
2008517272.tif 000005
2008517272.tif 000006